(57)【要約】【課題】直線状のブラシ部をスティック状の取手部と一体に形成する歯間ブラシを既存の形態のまま通常通り使用可能でコスト高を招かず、二つ対に所持可能な歯間ブラシ携帯用ホルダーを構成する。【解決手段】二つ対の歯間ブラシ１，２を取手部１ｂ，２ｂで着脱可能に保持する内部筒１０と、内部管１０で保持した各歯間ブラシ１，２の長さを含む全長を収容する外部筒２０とを備え、各ブラシ部１ａ，２ａを外部筒２０の開口より交互択一に出入れ移動可能な長さに亘るスリット２２を外部筒２０の筒面に設け、外部筒２０のスリット２２より内側に挿置する移動摘み３０を内部筒１０と一体に設けた。【選択図】図１
2009183521.tif 000002
【特許請求の範囲】
【請求項１】
直線状のブラシ部をスティック状の取手部と一体に形成する既存の歯間ブラシを二つ対に所持するための歯間ブラシ携帯用ホルダーであって、
各取手部を両端の開口より筒内に嵌め込んで二つ対の歯間ブラシを着脱可能に保持する内部筒と、内部管で保持した各歯間ブラシの長さを含む全長を収容する外部筒とを備え、
内部筒で保持した歯間ブラシの各ブラシ部を外部筒の開口より交互択一に出入れ移動可能な長さに亘るスリットを外部筒の筒面に設け、頭部を外部筒のスリットより外側に突出させて支軸部を外部筒のスリットより内側に挿置する移動摘みを内部筒と一体に設けたことを特徴とする歯間ブラシ携帯用ホルダー。
【請求項２】
取手部の嵌込み方向に亘る複数の切込みを開口端より筒面に設けて各開口を拡縮可能に形成した内部筒を備えてなることを特徴とする請求項１に記載の歯間ブラシ携帯用ホルダー。
【請求項３】
スリットを外部筒の筒内より閉鎖可能で、且つ、外部筒の筒面に沿って摺動可能なガイドプレートを一体に設けた内部筒を備えてなることを特徴とする請求項１または２に記載の歯間ブラシ携帯用ホルダー。
【請求項４】
外部筒の筒本体よりも相対的に小さくてブラシ部を出入れ可能な開口を有するキャップを筒本体の各管端に着脱可能に嵌合せ装着した外部筒を備えてなることを特徴とする請求項１に記載の歯間ブラシ携帯用ホルダー。
【発明の詳細な説明】
【技術分野】
【０００１】
本発明は、直線状のブラシ部をスティック状の取手部と一体に形成する既存の歯間ブラシを二つ対に所持するための歯間ブラシ携帯用ホルダーに関するものである。
【背景技術】
【０００２】
一般に、歯間ブラシとしては直線状のブラシ部をスティック状の取手部と一体に形成したものが用いられている。この種の歯間ブラシは、ブラシ部を覆って取手部に嵌め合わすキャップを備えることから携帯可能に形成されている。但し、ブラシ部の大きさが大小異なるものを携帯するには各々個別に所持する必要がある。
【０００３】
従来、二つ対に所持可能に構成したものは既に提案されている。その一例としては、一本の取手部を備えて二つのブラシ部を取手部の両端に設けるものがある（特許文献１）。このものでは、片側のブラシ部でも使用不能なものになると、他側のブラシ部が使用可能であっても、携帯に不向きなものになってしまう。
【０００４】
その他に、雄雌構造の継ぎ手を取手部の端部に設けて二つの歯間ブラシを一つに連結可能に形成するものが提案されている（特許文献２）。このものでは、特殊な構造の継ぎ手を取手部に設ける必要があるため、コスト高なものになるばかりでなく、着脱交換に手間を要する。
【０００５】
別の形態のものとしては、収納ケース乃至は収納ホルダーから出入れ可能に備えるものも提案されている。その一つは、歯間ブラシと爪楊枝とを対に備えるものであるが、長穴を側面に設けた収納ケースを備え、収納ケースの長穴より突出する突起部を各取手部の端部に設け、突起部を収納ケースの長穴に沿ってスライド移動することから、歯間ブラシ，爪楊枝を収納ケースより出入れ可能に備えるよう構成されている（特許文献３）。
【０００６】
他の一つは、小刀の鞘状に形成した収納ホルダーを備え、枢支ピンを収納ホルダーの両端寄り内側に設けると共に、枢支ピンと着脱係合可能な切欠を有する回動基部を取手部の端部に設けた歯間ブラシを備え、枢支ピンを支点に、歯間ブラシを小刀の刃状に出入れ可能に備えるよう構成されている（特許文献４）。
【０００７】
その出入れ収納型のものでは、収納ケースの長穴より突出する突起部を各取手部の端部に設け、また、枢支ピンと着脱係合可能な切欠を有する回動基部を取手部の端部に設けるものであるため、歯間ブラシとしては専用化されてしまうばかりでなく、コスト高なものになる。
【特許文献１】特表２００３−５２７１９１号公報
【特許文献１】特開２００１−１９０５７２号公報
【特許文献１】特開２００４−１１３７０１号公報
【特許文献１】特開平７−２９８９２４号公報
【発明の開示】
【発明が解決しようとする課題】
【０００８】
本発明は、直線状のブラシ部をスティック状の取手部と一体に形成する歯間ブラシを既存の形態のまま通常通り使用可能でコスト高を招かず、二つ対に所持可能な歯間ブラシ携帯用ホルダーを提供することを目的とする。
【課題を解決するための手段】
【０００９】
本願の請求項１に係る発明は、各取手部を両端の開口より筒内に嵌め込んで二つ対の歯間ブラシを着脱可能に保持する内部筒と、内部管で保持した各歯間ブラシの長さを含む全長を収容する外部筒とを備え、
内部筒で保持した歯間ブラシの各ブラシ部を外部筒の開口より交互択一に出入れ移動可能な長さに亘るスリットを外部筒の筒面に設け、頭部を外部筒のスリットより外側に突出させて支軸部を外部筒のスリットより内側に挿置する移動摘みを内部筒と一体に設けたことを特徴とする。
【００１０】
本願の請求項２に係る発明は、請求項１に記載の構成に加え、取手部の嵌込み方向に亘る複数の切込みを開口端より筒面に設けて各開口を拡縮可能に形成した内部筒を備えてなることを特徴とする。
【００１１】
本願の請求項３に係る発明は、請求項１または２に記載の構成に加え、スリットを外部筒の筒内より閉鎖可能で、且つ、外部筒の筒面に沿って摺動可能なガイドプレートを一体に設けた内部筒を備えてなることを特徴とする。
【００１２】
本願の請求項４に係る発明は、請求項１に記載の構成に加え、外部筒の筒本体よりも相対的に小さくてブラシ部を出入れ可能な開口を有するキャップを筒本体の各管端に着脱可能に装着した外部筒を備えてなることを特徴とする。
【発明の効果】
【００１３】
本願の請求項１に係る発明によると、各取手部を両端の開口より筒内に嵌め込んで二つ対の歯間ブラシを着脱可能に保持する内部筒と、内部管で保持した各歯間ブラシの長さを含む全長を収容する外部筒とを備え、
内部筒で保持した歯間ブラシの各ブラシ部を外部筒の開口より交互択一に出入れ移動可能な長さのスリットを外部筒の筒面に設け、頭部を外部筒のスリットより外側に突出させて支軸部を外部筒のスリットより内側に挿置する移動摘みを内部筒と一体に設けるだけであるから、直線状のブラシ部をスティック状の取手部と一体に形成する歯間ブラシを既存の形態のまま通常通り使用可能で、コスト高を招くことなく二つ対に所持することができる。
【００１４】
本願の請求項２に係る発明によると、取手部の嵌込み方向に亘る複数の切込みを開口端より筒面に設けて各開口を拡縮可能に形成した内部筒を備えることから、内部筒に対する歯間ブラシの着脱を容易に行え、また、嵌込みも確実に行えると共に、軸径の大小多少異なる取手部を有する歯間ブラシにも対応することができる。
【００１５】
本願の請求項３に係る発明によると、スリットを外部筒の筒内より閉鎖可能で、且つ、外部筒の筒面に沿って摺動可能なガイドプレートを一体に設けた内部筒を備えることから、携帯中に異物がスリットから外部筒の内部に入るのを防げ、また、内部筒を外部筒の筒内で安定よくスライド移動させるようにできる。
【００１６】
本願の請求項４に係る発明によると、外部筒の筒本体よりも相対的に小さくてブラシ部を出入れ可能な開口を有するキャップを筒本体の各管端に着脱可能に装着した外部筒を備えることから、ブラシ全体が外部筒から抜け出すのを防げ、また、ブラシ部のみを外部筒より出させて容易に用いるようにできる。
【発明を実施するための最良の形態】
【００１７】
図示の実施形態に係る歯間ブラシ携帯用ホルダーは、図１で示すように直線状のブラシ部１ａ，２ａをスティック状の取手部１ｂ，２ｂと一体に形成する歯間ブラシ１，２の携帯用で、金属製の円筒部材でなる内部筒１０，外部筒２０を備えて構成されている。
【００１８】
内部筒１０は、二つ対の歯間ブラシ１，２を取手部１ｂ，２ｂの端部側から一部を嵌め込んで着脱可能に保持するよう形成されている。外部筒２０は、内部管１０で保持した各歯間ブラシ１，２の長さを含む全長を収容可能な長さを持って形成されている。
【００１９】
内部筒１０の開口１０ａ，１０ｂは、図２で示すように取手部の嵌込み方向Ｘ，Ｙに亘る複数の切込み１１，１２を開口端より筒面に設けて拡縮可能に形成されている。内部筒１０には、図３で示すようにガイドプレート１３が一体に設けられている。ガイドプレート１３は、内部筒１０の外周に嵌め込む環状リング１４で固定され、幅方向が外部筒２０の内径に合わせて円弧状に湾曲形成されている。
【００２０】
その他に、内部筒１０の径内略中央には各嵌込み空間の底部を形成する仕切り壁１５が詰込み固定されている。また、ガイドプレート１３から仕切り壁１５に向っては後述する移動摘みを植立固定するねじ込み孔１６が設けられている（図２参照）。
【００２１】
外部筒２０は、図４で示すように内部筒１０の環状リング１６より多少内径の大きな円筒管でなる筒本体２１を主体に形成されている。筒面の長手方向には、には、内部筒１０で保持した歯間ブラシ１，２の各ブラシ部１ａ，２ａを開口より交互択一に出入れ移動可能な長さのスリット２２が筒中央から両側に略等距離伸びるよう形成されている（図１参照）。
【００２２】
外部筒２０は、キャップ２３，２４、掛下げクリップ２５を備えて組み立てられている。キャップ２３，２４は、筒本体２１の開口２１ａ，２１ｂよりも相対的に小さくて歯間ブラシのブラシ部を出入れ可能な開口２３ａ，２４ａを有し、段付き小径部２３ｂ，２４ｂを筒本体２１の各管端に着脱可能に嵌め合せて筒本体２１に連結装着されている。掛下げクリップ２５は、支持リング２６をキャップ２４の段付き小径部２４ｂに嵌め合わせてキャップ２４で外止め固定されている。
【００２３】
内部筒１０には、移動摘み３０が一体に設けられている（図１参照）。移動摘み３０は、図５で示すように植立ピン３１，座金３２とから形成されている。植立ピン３１は、頭部３１ａを外部筒２０のスリット２２より外側に突出させて支軸部３１ｂをスリット２２より外部筒２０の内側に挿置し、ガイドプレート１３から仕切り壁１５に設けたねじ込み孔１６に螺着させて内部筒１０に取り付けられている。座金３２は、スリット２２より大きな径を有し、外部筒２０の筒面に合せて湾曲形成されている。
【００２４】
このように構成する歯間ブラシ携帯用ホルダーでは、図６で示すように直線状のブラシ部１ａ，２ａをスティック状の取手部１ｂ，２ｂと一体に形成する歯間ブラシ１，２を既存の形態のまま通常通り使用可能であるから、コスト高を招くことなく二つ対に所持することができる。携帯時には、掛下げクリップ２５をポケットの開口縁に差し込んでホルダー全体をポケットの内部に収容することから邪魔とならないよう所持するようにできる。
【００２５】
歯間ブラシ１，２の交換にあたっては、キャップ２３，２４を取り外すと、先使用のブラシ部１ａ，２ａが外部筒２０の筒本体より露出するため、ブラシ部１ａ，２ａを摘めば、内部筒１０の開口１０ａ，１０ｂが拡縮可能に形成されているから内部筒１０より容易に取り外せる。付替え時は、嵌込みも確実に行えると共に、軸径の大小多少異なる取手部１ｂ，２ｂを有する歯間ブラシ１，２にも対応することができる。
【００２６】
ガイドプレート２３は、スリット２２を外部筒２０の筒内より閉鎖可能な長さを有するから、携帯中に異物がスリット２２から外部筒２０の内部に入るのを防げる。また、外部筒２０の筒内面に沿って摺動可能で、移動摘み３０の座金３２と共に、内部筒１０を外部筒２０の筒内で安定よくスライド移動させるようにできる。
【００２７】
歯間ブラシ１，２の使用時には、図７で示すように移動摘み３０を外部筒２０のスリット２２に沿って外部筒２０の中央位置からいずれか一方にスライドさせれば、スライド方向のブラシ部１ａ，２ａをキャップ２３，２４の開口２３ａ，２４ａより外部に出せる。キャップ２３，２４の開口２３ａ，２４ａは、筒本体２１の開口２１ａ，２１ｂよりも相対的に小さいため、ブラシ全体が外部筒２０から抜け出すのを防げ、また、ブラシ部１ａ，２ａのみを外部筒２０より出させて容易に用いるようにできる。
【００２８】
上述した実施の形態は構成各部を金属材料で形成するものに基づいて説明したが、プラスチック材料で形成する構成各部により形成することもできる。また、歯間ブラシとしてはブラシ部の大小異なるものを備え付けるものを示したが、好みに応じて同じ大きさのブラシ部を有するものを備えるようにもできる。
【図面の簡単な説明】
【００２９】
【図１】本発明に係る歯間ブラシ携帯用ホルダーを示す平面図である。
【図２】図１の歯間ブラシ携帯用ホルダーを構成する内部筒を示す断面図である。
【図３】図２の内部筒を示す平面図である。
【図４】図１の歯間ブラシ携帯用ホルダーを構成する外部筒を示す展開平面図である。
【図５】図１の歯間ブラシ携帯用ホルダーを構成する移動摘みを示す展開正面図である。
【図６】図１の歯間ブラシ携帯用ホルダーを示す側断面図である。
【図７】図１の歯間ブラシ携帯用ホルダーを示す使用説明図である。
【符号の説明】
【００３０】
１，２          歯間ブラシ
１ａ，２ａ      歯間ブラシのブラシ部
１ｂ，２ｂ      歯間ブラシの取手部
１０            内部筒
１０ａ，１０ｂ  内部筒の開口
１１，１２      内部筒の切込み
１３            内部筒のガイドプレート
２０            外部筒
２１            外部筒の筒本体
２２            外部筒のスリット
２３，２４      キャップ
３０            移動摘み
【図１】
2009183521.tif 000003
【図２】
2009183521.tif 000004
【図３】
2009183521.tif 000005
【図４】
2009183521.tif 000006
【図５】
2009183521.tif 000007
【図６】
2009183521.tif 000008
【図７】
2009183521.tif 000009